(57)【要約】【課題】携帯電話の信号からの妨害を受けないＴＶ受信用増幅装置４を提供することを課題とする。【解決手段】ＴＶ受信用増幅装置４の増幅回路１５の前に携帯電話の信号を除去するためのフィルタ１４を設ける。このフィルタ１４は，７７０ＭＨｚ以下の周波数が通過帯域，８１０ＭＨｚの以上周波数が阻止帯域であり，７７０ＭＨｚの挿入損失は約１ｄＢ，７７０ＭＨｚより低い周波数は周波数が低くなるにしたがって挿入損失が少なくなっている。７７０ＭＨｚ以上の周波数では，挿入損失が急激に増大し，８１０ＭＨｚ以上では７７０ＭＨｚに比べ２０ｄＢ以上大きくなっており，このフィルタ１４を通過すると，ＵＨＦのＴＶ信号に比べ携帯電話の信号が２０ｄＢ以上多く減衰する。更に，前記フィルタ１４と並列に信号通過回路２２を備えさせ，何れかの経路を介して選択出力するための選択手段２１を備える。【選択図】  図１
2004201254.tif 000002
【特許請求の範囲】
【請求項１】
アンテナからの信号を入力する入力端子を有し，当該入力端子からの信号を増幅する少なくとも１つの増幅器からなる増幅回路を備え，当該増幅回路によって増幅された信号を出力する出力端子を備えたＴＶ受信用増幅装置において，
前記入力端子と前記増幅回路の終段増幅器との間の伝送路のいずれかの場所に，妨害波信号を除去するフィルタを設け，少なくとも終段増幅器には，前記フィルタを通過した信号が入力されるように構成されたことを特徴としたＴＶ受信用増幅装置。
【請求項２】
前記フィルタには，当該フィルタと並列に信号通過回路が備えられ，前記フィルタか，前記信号通過回路かのいずれかの経路を介して選択出力するための選択手段を備えたことを特徴とした請求項１に記載のＴＶ受信用増幅装置。
【請求項３】
前記フィルタは，携帯電話の信号を除去するためのフィルタで構成されたことを特徴とした請求項１若しくは請求項２のいずれかに記載のＴＶ受信用増幅装置。
【請求項４】
前記増幅回路はＵＨＦ帯用の増幅回路であり，前記フィルタは，４７０〜７７０ＭＨｚを通過帯域とすると共に，８１０〜８８５ＭＨｚを阻止帯域とし，阻止帯域減衰量を２０ｄＢ以上とするよう構成されたことを特徴とした，請求項１若しくは請求項２の何れかに記載のＴＶ受信用増幅装置。
【発明の詳細な説明】
【０００１】
【発明の属する技術分野】
本発明は，主に家庭用あるいは共同受信用に利用されるＴＶ信号を増幅するブースタに関し，詳しくはその回路の構成に関する。
【０００２】
【従来の技術】
従来のＴＶ受信用ブースタは，例えばＶＨＦ帯とＵＨＦ帯を受信するようなシステムの場合，各アンテナで受信された信号は増幅器で増幅され，最適な受像画面が得られるように，それぞれ利得調整を行いＴＶ受像機に信号を供給するように構成されていた。（例えば，特許文献１参照）
【０００３】
【特許文献１】
特開平３−４６８０７号公報
【０００４】
【発明が解決しようとする課題】
しかしながら近年，携帯電話の普及にともない，ビル・集合住宅の屋上や柱上などに携帯電話の基地局が数多く設置され，携帯電話の送信周波数帯域の信号（以下携帯電話の信号）が放射されるようになった。
従来のブースタを使用する場合，上述の携帯電話の基地局から送信される電波がＴＶアンテナに入力されると，アンテナに接続されたブースタが過大入力レベルとなることがあり，ＴＶに受信障害が発生する問題が起きる問題が発生した。
このような場合，アンテナの位置を移動させて携帯電話の信号がＴＶアンテナに入力されないようにするか，ブースタとは別筐体で携帯電話の信号を除去するフィルタをブースタの入力端子側に挿入して受信障害を防止するしかなかった。
ところが，ＴＶアンテナを設置する屋根などにも広さの制限があり，ＴＶアンテナの位置を移動させて対策する方法は実質的には困難であった。
また，ブースタの入力端子側に携帯電話の信号を阻止するフィルタを挿入する方法は，特別注文やフィルタ専用の筐体が必要なため，非常に高価で入手までに日数がかかるなど，迅速な対応は不可能であった。
こうした問題点に鑑み，本発明はなされたものであり，
その目的は，ＴＶ受信用ブースタを提供することにある。
他の目的は，妨害波による受信障害を排除可能なＴＶ受信用ブースタを提供することにある。
他の目的は，アンテナ移動や別筐体のフィルタを使用せずに携帯電話の信号からの妨害を排除することを可能とするＴＶ受信用ブースタを提供することを課題とする。
【０００５】
【課題を解決するための手段】
上記課題を解決するために，請求項１の発明は，アンテナからの信号を入力する入力端子を有し，当該入力端子からの信号を増幅する少なくとも１つの増幅器からなる増幅回路を備え，当該増幅回路によって増幅された信号を出力する出力端子を備えたＴＶ受信用増幅装置において，前記入力端子と前記増幅回路の終段増幅器との間の伝送路のいずれかの場所に，妨害波信号を除去するフィルタを設け，少なくとも終段増幅器には，前記フィルタを通過した信号が入力されるように構成する。
【０００６】
請求項２の発明は，前記フィルタには，当該フィルタと並列に信号通過回路が備えられ，前記フィルタか，前記信号通過回路かのいずれかの経路を介して選択出力して出力するための選択手段を備える。
【０００７】
請求項３の発明は，前記フィルタは，携帯電話の信号を除去するためのフィルタで構成する。
【０００８】
請求項４の発明は，前記増幅回路はＵＨＦ帯用の増幅装置であり，前記フィルタは，４７０〜７７０ＭＨｚを通過帯域とすると共に，８１０〜８８５ＭＨｚを阻止帯域とし，阻止帯域減衰量を２０ｄＢ以上とするよう構成される。
【０００９】
【本発明の実施の形態】
以下に，本発明を具体化した実施形態の１例を，図面を基に詳細に説明する。
図１は本発明に係るＴＶ受信用システム例を示し，図２は本発明のＶＵ・ＢＳ・ＣＳブースタであるＴＶ受信用増幅装置のブロック図と当該ブースタに接続されるＴＶ受信用アンテナを示し，図３は携帯電話信号除去フィルタの特性の一例を示す説明図を示している。図４は本発明のＴＶ受信用増幅装置における他の実施例を示し，図５は従来のＴＶ受信用増幅装置の実施例を示す。
【００１０】
図１は，ＴＶ受信用システム１０３の例を示す。ＴＶ中継局１０１から放射されたＶＨＦ（例えば９０〜２２２ＭＨｚ）とＵＨＦ（例えば４７０〜７７０ＭＨｚ）のＴＶ信号をＶＨＦアンテナ１とＵＨＦアンテナ６で受信する。ＢＳ（放送衛星）やＣＳ（通信衛星）からの信号（例えば１０３２〜２６０２ＭＨｚ）をＢＳ・ＣＳアンテナ３で受信する。
受信するＶＨＦとＵＨＦのＴＶ信号のレベルは，中電界地域で８０ｄＢμ程度である。ＶＨＦ，ＵＨＦ，ＢＳ・ＣＳの信号はそれぞれ伝送線２ａ，２ｂ，２ｃを介して，ＴＶ受信用増幅装置４（例えばＶＨＦ・ＵＨＦ・ＢＳ・ＣＳブースタ，以下ブースタと呼ぶ）に入力され，所定のレベル，例えば１００ｄＢμに増幅され，混合されてから出力される。出力された信号は伝送２ｄを介して分配器５に接続され，当該分配器５によって分配された後，伝送線を介してテレビ端子７ａ，７ｂ，７ｃ，７ｄに供給される。この実施例ではテレビ端子７ａに接続された伝送線２ｆを介して，上記ブースタ４用の電源供給装置８からテレビに受像機９入力されＴＶが受信される。
【００１１】
携帯電話基地局１０２は，ビルや集合住宅の屋上，柱上などに数多く設置されている。当該基地局１０２からは携帯電話の電波（例えば８１０〜８１７ＭＨｚや８７０〜８８５ＭＨｚ）が送信されている。この電波は，ＵＨＦのＴＶ信号（４７０〜７７０ＭＨｚ）のすぐ上側の周波数帯域であるため，ＵＨＦアンテナ６で受信されＴＶ信号の妨害波となる。妨害波のレベルは強い所では１００ｄＢμに近いこともある。
このように，中電界地域におけるＴＶ信号のレベルは８０ｄＢμ程度であり，妨害波の方が２０ｄＢ程高いため，ブースタが入力レベルオーバーになりＴＶの受信障害が発生するのである。
【００１２】
図２を用いて第１の実施例について説明する。
ＶＨＦアンテナ１は，家の屋根や屋上などに設置され，伝送線２ａを介してブースタのＶＨＦ入力端子１ａに接続されている。ＶＨＦアンテナ１で受信された信号は，ＶＨＦ入力側フィルタ１０（例えばバンドパスフィルタ）を通過して，ＶＨＦ増幅回路１１で増幅されＶＨＦ出力側フィルタ１２（例えばローパスフィルタ）を通過した後，後述のＵＨＦ信号と混合される。更に，ＵＨＦ出力側フィルタ１７（例えばローパスフィルタ）でもって，後述のＢＳ・ＣＳ信号と混合され，電源分離フィルタ３０を通過して出力端子４ａへ出力される。
【００１３】
ＵＨＦアンテナ６は，家の屋根や屋上などに設置され，伝送線２ｂを介してブースタのＵＨＦ入力端子６ａに接続される。ＵＨＦアンテナ６で受信された信号は，ＵＨＦ入力側フィルタ１３（例えばハイパスフィルタ）とＵＨＦ入力側フィルタ１４（例えばローパスフィルタ）を通過してＵＨＦ増幅回路１５で増幅される。前記フィルタ１４は，本発明における携帯電話による妨害波除去のためのフィルタであり，当該フィルタ１４はＵＨＦ入力側フィルタ１３と増幅回路１５との間に設けた構成となっている。本発明の実施例では前記増幅回路１５は，３段接続の増幅器から構成されている。
前記ＵＨＦ増幅回路で増幅された信号は，ＵＨＦ出力側フィルタ１６（例えばハイパスフィルタ）を通過した後，前記ＶＨＦ信号と混合されてから，ＵＨＦ出力側フィルタ１７，電源分離フィルタ３０を通過して出力端子４ａへ出力される。
【００１４】
尚，前記実施例における増幅回路１５の構成は，例えば増幅器を４段で構成しても良く，適宜に変更しても良い。また，フィルタ１３の挿入箇所については，ブースタのＮＦ（雑音指数）を優先するために，増幅装置の初段増幅器と２段目増幅器との間に接続する構成でもよく，妨害波によるＴＶ受信への影響が無い範囲内において適宜構成を変更してもよい。
【００１５】
ＢＳ・ＣＳアンテナ３は，家の屋根や屋上・ベランダなどに設置され，伝送線２ｃを介してブースタ４のＢＳ・ＣＳ入力端子３ａに接続される。ＢＳ・ＣＳアンテナ３で受信された信号は，電源分離フィルタ３１，ＢＳ・ＣＳ入力側フィルタ１８（例えばハイパスフィルタ）を通過してＢＳ・ＣＳ増幅回路１９で増幅されて，ＢＳ・ＣＳ出力側フィルタ２０（例えばハイパスフィルタ）を通過後，前記ＶＨＦ信号とＵＨＦ信号とが混合された信号と混合される。その後，電源分離フィルタ３０を通過して出力端子４ａへ出力される。
上述のように，ブースタ４によって増幅，混合された信号は，伝送線２ｄ，分配器５，伝送線２ｅ，テレビ端子７ａ等を介してＴＶ受像機に送られる。
【００１６】
ＵＨＦ入力側フィルタ１４以外のフィルタは，ＶＨＦ，ＵＨＦ，ＢＳ・ＣＳ各帯域の信号を混合するときの，各帯域どうしの干渉防止やノイズ劣化を防止するためのフィルタである。
尚，上に示すそれぞれのフィルタの構成（例えばバンドパスフィルタ，ハイパスフィルタ，ローパスフィルタ等）は実施例であり，特性を満足するものなら特に上述の実施例に限定されるものではなく，それぞれ適宜フィルタの構成を変更して構成しても良い。
【００１７】
ＵＨＦ入力側フィルタ１４は，携帯電話の信号を除去するためのフィルタである。本発明の実施例ではローパスフィルタで構成されており，図３に当該フィルタの周波数−挿入損失性の一例を示す。
７７０ＭＨｚ以下の周波数が通過帯域，８１０ＭＨｚの以上周波数が阻止帯域である。
７７０ＭＨｚの挿入損失は約１ｄＢである。７７０ＭＨｚより低い周波数は周波数が低くなるにしたがって挿入損失が少なくなっている。
７７０ＭＨｚ以上の周波数では，挿入損失が急激に増大し，８１０ＭＨｚ以上では７７０ＭＨｚに比べ２０ｄＢ以上大きくなっている。
このフィルタ１４を通過すると，ＵＨＦのＴＶ信号に比べ携帯電話の信号が２０ｄＢ以上多く減衰する。
ＴＶ信号が８０ｄＢμ程度の中電界地域において，携帯電話の信号がおよそ１００ｄＢμであるとき，当該妨害信号がブースタ４のＵＨＦ入力端子６ａに入力されても，ＵＨＦ増幅回路１５の入力では携帯電話の信号レベルが上述のフィルタ１４によって，ＴＶ信号のレベルよりも低くなる。このフィルタ１４により増幅回路１５は入力レベルがオーバーしなくなる。
【００１８】
次に本発明の第２の実施形態として図４を参照して説明する。尚，以下の説明では，上記第１の実施形態同様の構成要素については同一符号を付与し，詳細な説明は省略する。
ＵＨＦアンテナ６は，家の屋根や屋上などに設置され，伝送線２ｂを介してブースタ４のＵＨＦ入力端子６ａに接続される。ＵＨＦアンテナ６で受信された信号は，ＵＨＦ入力側フィルタ１３を通過する。当該ＵＨＦ入力側フィルタ１３の出力側には選択手段２１が接続されている。
選択手段２１には，上述のＵＨＦ入力側フィルタ１４及び信号通過回路２２が並列に接続され，前記選択手段２１によって経路が選択的に切換えできるように構成されている。
選択手段２１によって選択的に切換えられたＵＨＦ信号は，ＵＨＦ増幅回路１５に入力され増幅され，ＵＨＦ出力側フィルタ１６を通過した後，ＶＨＦ信号と混合されてから，ＵＨＦ出力側フィルタ１７，電源分離フィルタ３０を通過して出力端子４ａへ出力される。
【００１９】
図４に示す第２の実施例は，ＵＨＦアンテナ６で受信した信号を，当該信号の中から妨害波である携帯電話の信号を除去するためのフィルタである，ＵＨＦ入力側フィルタ１４を通過させるか，当該フィルタ１４を通過させずに信号通過回路２２を通過させるかを選択できるように選択手段を備えたものである。
【００２０】
この実施例は，電気的特性面で考えれば，前記フィルタ１４を増幅回路１５の前に接続した構成となっているので，このフィルタ１４側の経路選択をした場合，当該フィルタ１４の通過帯域の挿入損失（例えば約１ｄＢ）が増えることで，前記損失と同じ量だけＮＦ（雑音指数）が劣化することとなる。
更に，施工面で考えると，ブースタ４の設置場所が，携帯電話基地局１０２からの距離や方向によって，携帯電話の信号がＵＨＦアンテナ６に飛び込んでＴＶ受信障害の発生が予想される場所と，そうでない場所に設置される場合があったり，ブースタ４の設置後に前記携帯電話基地局１０２が設置され，ＴＶ受信障害が発生する場合があったりすることが考えられる。
【００２１】
そこで，受信障害が発生しない場所では，携帯電話の信号を除去するためのフィルタ１４は無くても良いので，選択手段２１によって信号通過回路２２を選択することにより，雑音指数（ＮＦ）の劣化が無いＴＶ受信用増幅装置４としてＴＶ受信が出来る。
更に，携帯電話基地局１０２がブースタ４の設置以後に建設され，受信障害が発生した場合には，選択手段２１をＵＨＦ入力側フィルタ１４側に切換えるだけで携帯電話の信号によるＴＶ受信障害の対策できる。というように１つの機種で，妨害波の状況によって使い分けが簡単にできるばかりでなく，設置後の対策の容易性を備えた汎用性の高いＴＶ受信用増幅装置４が提供できるのである。
【００２２】
尚，本発明は上記実施の形態に限定されるものではなく，前記実施例における増幅回路１５の構成は，例えば増幅器を４段で構成しても良く，ＴＶ受信用増幅装置の利得の規格に応じて適宜に変更しても良い。また，フィルタ１４の挿入箇所については，実施例のようにＵＨＦ入力側フィルタと初段増幅器との間でもよいし，ブースタのＮＦ（雑音指数）を優先するために，増幅回路の初段増幅器と２段目増幅器との間に接続する構成でもよく，妨害波の電界強度若しくは設置地域を考慮して，妨害波によるＴＶ受信への影響を受けない範囲内において，前記フィルタ１４の配置場所の構成を適宜変更してもよい。
更に，本発明においては前記フィルタ１４をローパスフィルタで構成した例を示したが，この実施例に限定されるものではなく，妨害波を阻止帯域とし，希望信号を通過帯域とするようものなら，フィルタの構成を適宜に変更しても良い。
【００２３】
【発明の効果】
以上詳述したように，上記課題を解決するために，請求項１の発明は，アンテナからの信号を入力する入力端子を有し，当該入力端子からの信号を増幅する少なくとも１つの増幅器からなる増幅回路を備え，当該増幅回路によって増幅された信号を出力する出力端子を備えたＴＶ受信用増幅装置において，
前記入力端子と前記増幅回路の終段増幅器との間の伝送路のいずれかの場所に，妨害波信号を除去するフィルタを設け，少なくとも終段増幅器には，上記フィルタを通過した信号が入力されるように構成したので，妨害電波によって受信障害が発生している地域において有効なＴＶ受信用増幅装置を提供できる。
【００２４】
請求項２の発明は，上記フィルタには，当該フィルタと並列に信号通過回路が備えられ，前記フィルタか，前記信号通過回路かのいずれかの経路を介して選択出力するための選択手段を備えたので，妨害電波による妨害の発生がない場所では，選択手段によって信号通過回路を選択することで，上記妨害除去フィルタの挿入損失増大による雑音指数の劣化のないブースタを提供することができる．
さらにブースタ設置後に，当該設置場所の近傍に建設された無線施設等から出力される妨害電波により，ＴＶ受信障害が発生した場合には，選択手段によってフィルタ側を選択するだけで，容易に妨害対策をすることができる汎用性の高いＴＶ受信用増幅装置を提供できる。
【００２５】
請求項３の発明は，前記フィルタは，携帯電話の信号を除去するためのフィルタで構成したので，当該フィルタを備えたＴＶ受信用増幅装置を用いることで，携帯電話によるＴＶ受信障害が発生している地域において容易に妨害対策をすることができる。
更に，前記フィルタと当該フィルタに並列に信号通過経路を備えさせ，それぞれの経路を選択出力させるよう選択手段を設けたＴＶ受信用増幅装置であっては，妨害電波による妨害の発生がない場所では，選択手段によって信号通過回路を選択することで，上記妨害除去フィルタの挿入損失増大による雑音指数の劣化のないブースタを提供することができる。
さらにブースタ設置後に，当該設置場所の近傍に建設された携帯電話基地局等から出力される携帯電話の信号により，ＴＶ受信障害が発生した場合には，選択手段によってフィルタ側を選択するだけで，容易に妨害対策をすることができる汎用性の高いＴＶ受信用増幅装置を提供できる。
【００２６】
請求項４の発明は，前記増幅回路はＵＨＦ帯用の増幅装置であり，前記フィルタは，４７０〜７７０ＭＨｚを通過帯域とすると共に，８１０〜８８５ＭＨｚを阻止帯域とし，阻止帯域減衰量を２０ｄＢ以上とするよう構成したので，特に，８００ＭＨｚ帯を利用した携帯電話によって発生するＵＨＦ受信時のＴＶ受信障害に強いＴＶ受信用増幅装置が提供できる。
【図面の簡単な説明】
【図１】本発明に係るブースタ使用例を示す。
【図２】本発明に係る実施形態の１例を示す。
【図３】本発明に係る実施形態のフィルタの特性例を示す
【図４】本発明に係る第２の実施例を示す。
【図５】従来例を示す。
【符号の説明】
１…ＶＨＦアンテナ，１ａ…ＶＨＦ入力端子，２ａ，２ｂ，２ｃ，２ｄ，２ｅ，２ｆ…伝送線，３…ＢＳ・ＣＳアンテナ，３ａ…ＢＳ・ＣＳ入力端子，４…ＴＶ受信用増幅装置（例えばＶＨＦ・ＵＨＦ・ＢＳ・ＣＳブースタ），４ａ…出力端子，５…分配器，６…ＵＨＦアンテナ，６ａ…ＵＨＦ入力端子，７ａ，７ｂ，７ｃ，７ｄ…ＴＶ端子，８…電源供給装置，９…ＴＶ受像機，１０…ＶＨＦ入力側フィルタ，１１…ＶＨＦ増幅回路，１２…ＶＨＦ出力側フィルタ，１３…ＵＨＦ入力側フィルタ，１４…ＵＨＦ妨害波（例えば携帯電話）信号阻止用フィルタ，１５…ＵＨＦ増幅回路，１６…ＵＨＦ出力側フィルタ，１７…ＵＨＦ出力側フィルタ，１８…ＢＳ・ＣＳ入力側フィルタ，１９…ＢＳ・ＣＳ増幅回路，２０…ＢＳ・ＣＳ出力側フィルタ，２１…選択手段，２２…信号通過回路，３０，３１…電源分離フィルタ，１０１…ＴＶ中継局，１０２…携帯電話基地局，１０３…共同受信システム
【図１】
2004201254.tif 000003
【図２】
2004201254.tif 000004
【図３】
2004201254.tif 000005
【図４】
2004201254.tif 000006
【図５】
2004201254.tif 000007